(57)【要約】【課題】  両手で原稿をしっかりと原稿台に押さえつけながら原稿の読み取りを行うことができ、またページをめくるたびに読取開始の指示を出す必要が無く、最初に１度だけ読取開始の指示を出すことによって、複数ページにわたる原稿の読取を行うことができるセルフタイマー付原稿読取装置を提供する。【解決手段】  読取開始の指示を受けると時間の計測を開始し、所定時間の経過後に原稿の読取を行い、読取停止指示が来るか、読取回数が所定回数に達するまで読取を繰り返すセルフタイマーを設けたことを特徴とするセルフタイマー付原稿読取装置。【選択図】        図１
2006157244.tif 000002
【特許請求の範囲】
【請求項１】
原稿の読取を行う原稿読取手段、原稿の読取開始の指示を原稿読取装置に伝える読取開始指示手段、原稿読取装置が読取開始指示を受けてから読取を開始するまでの時間を記憶する読取待ち時間記憶手段、原稿読取装置が読取開始指示を受けてから読取を開始するまでの時間を計測する時間計測手段からなり、原稿台に載置された原稿の読み取りを行う原稿読取装置において、読取開始指示手段から読取開始の指示を受けると、時間計測手段を用いて時間の計測を開始し、読取待ち時間記憶手段に記憶されている時間が経過した後に、原稿の読取を開始することを特徴とするセルフタイマー付原稿読取装置。
【請求項２】
原稿読取装置が読取開始指示を受けてから読取を開始するまでの読取待ち時間を上記セルフタイマー付原稿読取装置を使用する人間にフィードバックする読取待ち時間通知手段を持ち、上記セルフタイマー付原稿読取装置を使用する人間に読取待ち時間をカウントダウンして知らせることを特徴とする請求項１に記載のセルフタイマー付原稿読取装置。
【請求項３】
繰り返しの読取回数を記憶する読取回数記憶手段を持ち、読取回数が所定回数に達するまで読取を繰り返すことを特徴とする請求項１または２に記載のセルフタイマー付原稿読取装置。
【請求項４】
原稿の読取停止の指示を上記セルフタイマー付原稿読取装置に伝える読取停止指示手段を持ち、読取停止指示手段からの読取停止指示が来るまで読取を繰り返すことを特徴とする請求項１または２に記載のセルフタイマー付原稿読取装置。
【請求項５】
繰り返しの読取回数を記憶する読取回数記憶手段と原稿の読取停止の指示を上記セルフタイマー付原稿読取装置に伝える読取停止指示手段を持ち、読取停止指示手段からの読取停止指示が来るか、読取回数が所定回数に達するまで読取を繰り返すことを特徴とする請求項１または２に記載のセルフタイマー付原稿読取装置。
【請求項６】
読取開始の指示が出されてから原稿の読取を行うまでの時間を、上記セルフタイマー付原稿読取装置を使用する人間が、自由に決められることを特徴とする請求項１ないし５のいずれか１項に記載のセルフタイマー付原稿読取装置。
【請求項７】
上記セルフタイマー付原稿読取装置を使用する人間が、読み取りの繰り返し回数を自由に決められることを特徴とする請求項１ないし６のいずれか１項に記載のセルフタイマー付原稿読取装置。
【発明の詳細な説明】
【技術分野】
【０００１】
本発明は、原稿台に載置された原稿の読み取りを行う原稿読取装置に関するものである。
【背景技術】
【０００２】
原稿台上に原稿を載置するとともに、この原稿に沿ってスキャナを移動させつつ上記原稿の読取を行う原稿読取装置では、原稿読取装置に付属する読取開始ボタンを押すことや、原稿読取装置と繋がっているパーソナルコンピュータの画面上の読取開始ボタンをクリックすることによって読取開始の指示を受けるとすぐさま、読取が開始される（例えば、特許文献１又は２参照）。
【０００３】
また、複写機においても、コピー開始ボタンを押すことによって読取開始の指示を受けるとすぐさま、読取が開始される（例えば、特許文献３参照）。
【特許文献１】特開平１１−３５５４８１号公報
【特許文献２】特開２００１−１７７６７２号公報
【特許文献３】特開２００２−２５１１１７号公報
【発明の開示】
【発明が解決しようとする課題】
【０００４】
しかしながら、上記原稿読取装置において、本など厚さのある物の読取を行う際には、両手で本を原稿台に押さえつけないと、本の中心部分を正常に読取することが難しい。
【０００５】
一方で原稿の読取を開始するためには、読取開始ボタンを押したり、クリックしたりしなければならず、両手で本を原稿台に押さえつけることができないという問題点があった。
【０００６】
また、本などを数ページにわたって読取を行う際には、ページをめくるたびに、読取開始ボタンを押したり、クリックしたりしなければならないという問題点があった。
【０００７】
本発明は、このような問題点に鑑みて為されたものであり、その目的とする処は、両手で原稿をしっかりと原稿台に押さえつけながら原稿の読み取りを行うことができ、またページをめくるたびに読取開始の指示を出す必要が無く、最初に１度だけ読取開始の指示を出すことによって、複数ページにわたる原稿の読取を行うことができるセルフタイマー付原稿読取装置を提供することにある。
【課題を解決するための手段】
【０００８】
上記課題を解決するために、本発明は、上記原稿読取装置に、時間計測手段、読取回数記憶手段、読取待ち時間記憶手段、読取停止指示手段、読取待ち時間通知手段の機能を付加したセルフタイマー付原稿読取装置である。
【０００９】
読取開始の指示を受けると、上記時間計測手段により時間の計測を開始し、上記読取待ち時間記憶手段に記憶されている所定時間の経過後、原稿の読取を開始し、上記読取停止指示手段からの読取停止指示が来るか、読取回数が上記読取回数記憶手段に記憶された所定回数に達するまで読取を繰り返すことが可能となり、上記課題が解決できる。
【００１０】
また、上記読取待ち時間通知手段により、上記セルフタイマー付原稿読取装置を使用する人間に対して、読取が開始されるまでの待ち時間をフィードバックすることによって、上記セルフタイマー付原稿読取装置の利便性が向上する。
【発明の効果】
【００１１】
本発明によれば、両手で原稿をしっかりと原稿台に押さえつけながら原稿の読み取りを行うことができ、またページをめくるたびに読取開始の指示を出す必要が無く、最初に１度だけ読取開始の指示を出すことによって、複数ページにわたる原稿の読取を行うことができるセルフタイマー付原稿読取装置を提供することができる。
【発明を実施するための最良の形態】
【００１２】
以下本発明の実施例について、図面を参照しながら説明する。
【実施例１】
【００１３】
図１は、本発明の実施例１に係るセルフタイマー付原稿読取装置１００の概略構成を示すブロック図である。
【００１４】
セルフタイマー付原稿読取装置１００は、ＣＰＵ１０１と、ＲＯＭ１０２と、ＲＡＭ１０３と、入力部１０４と、原稿読取部１０５と、読取開始指示部１０６と、読取停止指示部１０７と、時間計測部１０８と、読取回数記憶部１０９と、読取待ち時間記憶部１１０と、読取待ち時間通知部１１１と、通信部１１２と、ＣＰＵバス１１３と、通信インターフェース１１４を有する。
【００１５】
ＣＰＵ１０１は、システム制御部であり、セルフタイマー付原稿読取装置１００の全体を制御する。
【００１６】
ＲＯＭ１０２は、ＣＰＵ１０１が実行する制御プログラムや組み込みオペレーティングシステム（ＯＳ）プログラム等を格納する。本実施例では、ＲＯＭ１０２に格納されている各制御プログラムは、ＲＯＭ１２に格納されている組み込みＯＳの管理下で、スケジューリングやタスクスイッチ等のソフトウェア制御を行う。
【００１７】
ＲＡＭ１０３は、ＤＲＡＭ（ｄｙｎａｍｉｃ  ＲＡＭ）等で構成され、プログラム制御変数等を格納し、また、設定値やセルフタイマー付原稿読取装置１００の管理データ等を格納し、各種ワーク用バッファ領域が設けられている。
【００１８】
入力部１０４は、タッチパネルやボタンやキーボード等から構成され、セルフタイマー付原稿読取装置１００を使用する人間が、セルフタイマー付原稿読取装置１００が読取開始の指示を受けてから読み取りを行うまでの時間や読み取りの繰り返し回数を設定することができる。
【００１９】
原稿読取部１０５は、ＣＣＤラインセンサやＣＩＳラインセンサ等から構成され、原稿台に載置された原稿を読み取る。
【００２０】
読取開始指示部１０６は、タッチパネルやボタンやキーボード等から構成され、セルフタイマー付原稿読取装置１００を使用する人間が、原稿の読取を開始するための信号をＣＰＵに送る。
【００２１】
読取停止指示部１０７は、タッチパネルやボタンやキーボード等から構成され、セルフタイマー付原稿読取装置１００を使用する人間が、原稿の読取を停止するための信号をＣＰＵに送る。
【００２２】
時間計測部１０８は、読取開始指示部１０６から読取開始の指示が出されてから、所定時間を計測する。
【００２３】
読取回数記憶部１０９は、入力部１０４で設定させた読み取りの繰り返し回数を記憶する。
【００２４】
読取待ち時間記憶部１１０は、入力部１０４で設定させたセルフタイマー付原稿読取装置１００が読取開始の指示を受けてから読み取りを行うまでの時間を記憶する。
【００２５】
読取待ち時間通知部１１１は、ＬＥＤ（発光ダイオード）、ＬＣＤ（液晶ディスプレイ）、音声装置等によって構成され、ＬＥＤ（発光ダイオード）やＬＣＤ（液晶ディスプレイ）の場合、読取開始前は、読取待ち時間記憶部１１０の値を表示し、読み取り開始後は、時間計測部１０８の働きによって読取待ち時間が減少していくので、この値を表示する。また音声装置の場合、読み取り開始後、音声によって読取待ち時間をカウントダウンして伝える。
【００２６】
通信部１１２は、ＵＳＢやＬＡＮ等の通信インターフェース１１４を用いて、原稿読取部１０５で読み込んだデータを外部に送ったり、外部からの情報をセルフタイマー付原稿読取装置１００に伝えたりする。
【００２７】
上記ＲＯＭ１０２から通信部１１２は、ＣＰＵ１０１が管理するＣＰＵバス１１３を介して、相互に接続されている。
【００２８】
このように構成されたセルフタイマー付原稿読取装置１００において、請求項３に示した読取回数が所定回数に達するまで読取を繰り返す場合の、本実施例における動作の例を図２のフローチャートを用いて説明する。
【００２９】
先ず、図１で示した入力部１０４より、読取開始の指示が出てから読み取りを行うまでの時間や読み取りの繰り返し回数を入力する。また、読取開始の指示が出てから読み取りを行うまでの時間や読み取りの繰り返し回数は、予めデフォルトの値（読取開始ボタンが押されてから読み取りを行うまでの時間は０であり、読み取りの繰り返し回数は１である。）が設定されている。
【００３０】
次に、読取開始指示部１０６から読取開始の指示が出されることによって、Ｓ２００の状態へと遷移する。この時、読取開始の指示が出てから読み取りを行うまでの時間が設定されていると、Ｓ２０１の状態へと遷移し、設定されていた時間だけ待った後、Ｓ２０２の状態へと遷移する。また、読取開始の指示が出てから読み取りを行うまでの時間が設定されていない場合、すぐにＳ２０２の状態へと遷移する。
【００３１】
Ｓ２０２の状態では、原稿読取部１０５が原稿台に載置された原稿を読み取る。原稿の読み取りが終了後、Ｓ２０３の状態へと遷移し、読み取りの繰り返し回数を調べて、読み取りの繰り返し回数が１より大きい場合、Ｓ２０４の状態へと遷移する。また、読み取りの繰り返し回数が１の場合は、原稿の読み取りが終了となる。
【００３２】
Ｓ２０４の状態では、読み取りの繰り返し回数を１減らした後に、Ｓ２０１の状態へと遷移する。
【００３３】
また、セルフタイマー付原稿読取装置１００において、請求項４に示した読取停止指示が出るまで読取を繰り返す場合の、本実施形態における動作の例を図３のフローチャートを用いて説明する。
【００３４】
先ず、図１で示した入力部１０４より、読取開始の指示が出てから読み取りを行うまでの時間を入力する。また、読取開始の指示が出てから読み取りを行うまでの時間は、予めデフォルトの値（読取開始ボタンが押されてから読み取りを行うまでの時間は０である。）が設定されている。
【００３５】
次に、読取開始指示部１０６から読取開始の指示が出されることによって、Ｓ３００の状態へと遷移する。この時、読取開始の指示が出てから読み取りを行うまでの時間が設定されていると、Ｓ３０１の状態へと遷移し、設定されていた時間だけ待った後、Ｓ３０２の状態へと遷移する。また、読取開始の指示が出てから読み取りを行うまでの時間が設定されていない場合、すぐにＳ３０２の状態へと遷移する。
【００３６】
Ｓ３０２の状態では、原稿読取部１０５が原稿台に載置された原稿を読み取る。原稿の読み取りが終了後、Ｓ３０３の状態へと遷移し、読取停止指示が出ているどうかを確かめ、読取停止指示が出ていない場合、Ｓ３０１の状態へと遷移する。また、読取停止指示が出ている場合は、原稿の読み取りが終了となる。
【００３７】
最後に、読取待ち時間通知部１１１がＬＥＤ（発光ダイオード）やＬＣＤ（液晶ディスプレイ）の場合の本実施形態における例を、図４を用いて説明する。
【００３８】
図４では、読取回数と読取待ち時間を表示するＬＣＤ（液晶ディスプレイ）である。図４においては読取回数が３回で、読取待ち時間が５秒である。これらの値は、入力部１０４から入力される。そして、読取開始指示部１０６から読取開始の指示が出されると、読取待ち時間が５秒、４秒、３秒、２秒、１秒、０秒と変化していき、０秒となると読取が開始される。そして、同時に読み取り回数が、１減って、２回となる。
【００３９】
以上説明したように、本実施例によれば、予め読取開始の指示が出てから読み取りを行うまでの時間や読み取りの繰り返し回数を入力しておくことによって、次のような効果がある。
【００４０】
本など厚さのある原稿の読取を行う場合には、両手で本を原稿台に押さえつけないと、本の中心部分を正常に読取することが難しいが、原稿の読取を開始するためには、読取開始ボタンを押したり、クリックしたりしなければならず、両手で本を原稿台に押さえつけることができないという問題点があったが、本発明では、両手で原稿をしっかりと原稿台に押さえつけながら、原稿の読み取りを行うことができる。
【００４１】
本等の複数ページにわたる原稿の読取を行う場合に、ページをめくるたびに、読取開始ボタンを押したり、クリックしたりしなければならないという問題点があったが、本発明では、ページをめくるたびに、読取開始の指示を出す必要が無く、最初に１度だけ読取開始の指示を出すことによって、複数ページにわたる原稿の読取を行うことができる。
【図面の簡単な説明】
【００４２】
【図１】本発明の実施例１に係るセルフタイマー付原稿読取装置の概略構成を示すブロック図
【図２】本発明の実施例１に係るセルフタイマー付原稿読取装置の動作を示すフローチャート
【図３】本発明の実施例１に係るセルフタイマー付原稿読取装置の動作を示すフローチャート
【図４】本発明の実施例１に係るセルフタイマー付原稿読取装置の読取待ち時間通知部を示すブロック図
【符号の説明】
【００４３】
１００  セルフタイマー付原稿読取装置
１０１  ＣＰＵ
１０２  ＲＯＭ
１０３  ＲＡＭ
１０４  入力部
１０５  原稿読取部
１０６  読取開始指示部
１０７  読取停止指示部
１０８  時間計測部
１０９  読取回数記憶部
１１０  読取待ち時間記憶部
１１１  読取待ち時間通知部
１１２  通信部
１１３  ＣＰＵバス
１１４  通信インターフェース
【図１】
2006157244.tif 000003
【図２】
2006157244.tif 000004
【図３】
2006157244.tif 000005
【図４】
2006157244.tif 000006